(57)【要約】【課題】  バスバーと電線との接続を圧接により行うジョイントコネクタを安価に製造する。【解決手段】  圧接ジョイントコネクタ１は、複数の電線８０を固定保持する複数の電線ホルダ１０と、これらが装着されるホルダ装着部２１，３１を有する第１及び第２ハウジング２０，３０と、これらハウジング２０，３０に備えられる第１及び第２バスバー４０，５０とを有する。両バスバー４０，５０は、ホルダ装着部２１，３１で電線８０をスリット４４，５４に挿入して圧接するための圧接端子部４３，５３と、互いに接続するための接続端子部４５，５５とを有し、両ハウジング２０，３０は、互いに嵌合するためのレセプタクル型嵌合部２２及びプラグ型嵌合部３２を有し、電線ホルダ１０は、ホルダ装着部２１，３１側に電線８０を圧接端子部４３，５３に圧接するための装着側開口部１２ａを備えている。【選択図】  図１
2005149935.tif 000002
【特許請求の範囲】
【請求項１】
電線を両側から挟持し一方の側に前記電線が臨む開口部が形成された複数の電線保持部材と、
これら複数の電線保持部材が前記開口部を向けて装着される電線保持部材装着部と、互いに嵌合可能な構造からなる嵌合部とをそれぞれ有する複数のハウジングと、
これら複数のハウジングに備えられ前記電線保持部材が前記開口部を前記電線保持部材装着部に向けて前記電線保持部材装着部に装着されたときに前記電線と圧接される圧接端子と、前記複数のハウジングの嵌合時に互いに接続可能な接続端子とをそれぞれ有する複数の分岐接続部と
を備えたことを特徴とする圧接ジョイントコネクタ。
【請求項２】
前記複数の電線保持部材と前記複数のハウジングとは、それぞれ前記電線保持部材装着部における前記電線保持部材の装着時に、その装着状態を保持する電線保持部材係合部により互いに係合される構造からなり、
前記電線保持部材係合部は、前記複数の電線保持部材の端部にそれぞれ形成され前記電線保持部材装着部への装着方向に延びると共に係合穴部を有する電線保持部材係合部用係合片と、前記複数のハウジングの端部にそれぞれ形成され前記係合穴部に係合する電線保持部材係合部用係合突起とから構成されている
ことを特徴とする請求項１記載の圧接ジョイントコネクタ。
【請求項３】
前記複数の電線保持部材と前記複数のハウジングとは、それぞれ前記電線保持部材装着部における前記電線保持部材の装着時に、その装着状態を保持する電線保持部材係合部により互いに係合される構造からなり、
前記電線保持部材係合部は、前記複数の電線保持部材の端部にそれぞれ形成され前記電線保持部材装着部への装着方向に延びると共に係合突起部を有する電線保持部材係合部用嵌合片と、前記複数のハウジングの端部にそれぞれ形成され内部に前記係合突起部が係合する突起係合部を有する電線保持部材係合部用嵌合穴とから構成されている
ことを特徴とする請求項１記載の圧接ジョイントコネクタ。
【請求項４】
前記複数の電線保持部材は、それぞれ前記電線を介して対向配置され前記電線をその芯線方向と直交する方向に挟み込んで挟持固定する分割可能な構造の複数の電線保持部材構成体から構成され、
前記複数の電線保持部材構成体のうち、第１電線保持部材構成体に形成された係合凹部と、第２電線保持部材構成体に形成された前記係合凹部と係合する係合凸部を有する係合片部とからなる電線保持部材構成体係合部を備えてなる
ことを特徴とする請求項１〜３のいずれか１項記載の圧接ジョイントコネクタ。
【請求項５】
前記複数の電線保持部材は、それぞれ前記電線を介して対向配置され前記電線をその芯線方向と直交する方向に挟み込んで挟持固定する複数の電線保持部材構成体と、
これら複数の電線保持部材構成体の一方の端部同士を結合するヒンジ部と、
前記複数の電線保持部材構成体の他方の端部同士を係合して固定する電線保持部材構成体係合部とを一体的に形成して構成され、
前記電線保持部材構成体係合部は、前記複数の電線保持部材構成体のうち、第１電線保持部材構成体の前記他方の端部に形成された係合凹部と、第２電線保持部材構成体の前記他方の端部に形成された前記係合凹部と係合する係合凸部を有する係合片部とから構成されている
ことを特徴とする請求項１〜３のいずれか１項記載の圧接ジョイントコネクタ。
【請求項６】
前記複数のハウジングに取り付けられると共に各ハウジングの前記電線保持部材装着部に装着された前記電線保持部材を押えるハウジング蓋部を更に備え、
前記ハウジング蓋部は、前記ハウジングへの取付時に、前記電線保持部材から外部に露出して延びる前記電線を、前記圧接端子との圧接部分に対してストレインリリーフを備えるように前記ハウジングの端部又は前記電線保持部材の端部と共に挟み込んで所定の角度で折り曲げる電線押え部を有してなる
ことを特徴とする請求項１〜５のいずれか１項記載の圧接ジョイントコネクタ。
【請求項７】
前記ハウジング蓋部は、前記複数のハウジングにそれぞれ取り付けられると共に各ハウジングの前記電線保持部材装着部に装着された前記電線保持部材をそれぞれ押える構造からなる
ことを特徴とする請求項６記載の圧接ジョイントコネクタ。
【請求項８】
前記ハウジング蓋部と前記複数のハウジングとは、前記ハウジング蓋部の前記ハウジングへの取付時に、その取付状態を保持する蓋係合部により互いに係合される構造からなり、
前記蓋係合部は、前記ハウジング蓋部の端部に形成され前記ハウジングへの取付方向に延びると共に取付穴部を有するハウジング蓋部用係合片と、前記ハウジングの端部に形成され前記取付穴部に係合するハウジング蓋部用係合突起とから構成されている
ことを特徴とする請求項６又は７記載の圧接ジョイントコネクタ。
【請求項９】
前記ハウジング蓋部と前記複数のハウジングとは、前記ハウジング蓋部の前記ハウジングへの取付時に、その取付状態を保持する蓋係合部により互いに係合される構造からなり、
前記蓋係合部は、前記ハウジング蓋部の端部に形成され前記ハウジングへの取付方向に延びると共に係合突起部を有するハウジング蓋部用嵌合片と、前記ハウジングの端部に形成され内部に前記係合突起部が係合する突起係合部を有するハウジング蓋部用嵌合穴とから構成されている
ことを特徴とする請求項６又は７記載の圧接ジョイントコネクタ。
【発明の詳細な説明】
【技術分野】
【０００１】
本発明は、自動車等に搭載されるワイヤハーネスのジョイントコネクタに関し、特に安価に製造することができる圧接ジョイントコネクタに関する。
【背景技術】
【０００２】
従来から、自動車等のワイヤハーネスの接続に使用されるジョイントコネクタとしては、ワイヤハーネスの各電線に接続された多数の接続端子をハウジング内に収容し、更にこれらの接続端子を同様にハウジング内に収容されたバスバー等の分岐接続部で短絡させて相互接続して、分岐回路を構成するものが知られている（例えば、特許文献１参照。）。
【０００３】
【特許文献１】特許第３１６０１９１号公報（第３−５頁、第１−３図）
【発明の開示】
【発明が解決しようとする課題】
【０００４】
しかしながら、特許文献１に記載のジョイントコネクタでは、ハウジングに電線に接続された接続端子を収容し、更にバスバーを収容してハウジング同士を嵌合することで分岐接続を図る構造のため、電線に接続端子を接続する作業が必要であると共に各接続端子をハウジング内に収容する作業が必要であるため、結果的にジョイントコネクタのコストが高くなってしまうという問題がある。
【０００５】
本発明は、このような問題点に鑑みてなされたもので、バスバーなどの分岐接続部と電線との接続を圧接により行うことができると共に安価に製造することができる圧接ジョイントコネクタを提供することを目的とする。
【課題を解決するための手段】
【０００６】
本発明に係る圧接ジョイントコネクタは、電線を両側から挟持し一方の側に前記電線が臨む開口部が形成された複数の電線保持部材と、これら複数の電線保持部材が前記開口部を向けて装着される電線保持部材装着部と、互いに嵌合可能な構造からなる嵌合部とをそれぞれ有する複数のハウジングと、これら複数のハウジングに備えられ前記電線保持部材が前記開口部を前記電線保持部材装着部に向けて前記電線保持部材装着部に装着されたときに前記電線と圧接される圧接端子と、前記複数のハウジングの嵌合時に互いに接続可能な接続端子とをそれぞれ有する複数の分岐接続部とを備えたことを特徴とする。
【０００７】
なお、複数の電線保持部材と複数のハウジングとは、例えばそれぞれ電線保持部材装着部における電線保持部材の装着時に、その装着状態を保持する電線保持部材係合部により互いに係合される構造からなり、この場合電線保持部材係合部としては、例えば（１）複数の電線保持部の端部にそれぞれ形成され電線保持部材装着部への装着方向に延びると共に係合穴部を有する電線保持部材係合部用係合片と、複数のハウジングの端部にそれぞれ形成され係合穴部に係合する電線保持部材係合部用係合突起とから構成されるものや、（２）複数の電線保持部材の端部にそれぞれ形成され電線保持部材装着部への装着方向に延びると共に係合突起部を有する電線保持部材係合部用嵌合片と、複数のハウジングの端部にそれぞれ形成され内部に係合突起部が係合する突起係合部を有する電線保持部材係合部用嵌合穴とから構成されるものなどが良い。
【０００８】
また、複数の電線保持部材は、例えば（ａ）それぞれ電線を介して対向配置され電線をその芯線方向と直交する方向に挟み込んで挟持固定する分割可能な構造の複数の電線保持部材構成体から構成され、複数の電線保持部材構成体のうち、第１電線保持部材構成体に形成された係合凹部と、第２電線保持部材構成体に形成された係合凹部と係合する係合凸部を有する係合片部とからなる電線保持部材構成体係合部を備えてなるものや、（ｂ）それぞれ電線を介して対向配置され電線をその芯線方向と直交する方向に挟み込んで挟持固定する複数の電線保持部材構成体と、これら複数の電線保持部材構成体の一方の端部同士を結合するヒンジ部と、複数の電線保持部材構成体の他方の端部同士を係合して固定する電線保持部材構成体係合部とを一体的に形成して構成され、電線保持部材構成体係合部は、複数の電線保持部材構成体のうち、第１電線保持部材構成体の他方の端部に形成された係合凹部と、第２電線保持部材構成体の他方の端部に形成された係合凹部と係合する係合凸部を有する係合片部とから構成されているものなどが良い。
【０００９】
また、この圧接ジョイントコネクタは、例えば複数のハウジングに取り付けられると共に各ハウジングの電線保持部材装着部に装着された電線保持部材を押えるハウジング蓋部を更に備えて構成され、ハウジング蓋部は、ハウジングへの取付時に、電線保持部材から外部に露出して延びる電線を、圧接端子との圧接部分に対してストレインリリーフを備えるようにハウジングの端部又は電線保持部材の端部と共に挟み込んで所定の角度で折り曲げる電線押え部を有してなると良い。
【００１０】
そして、ハウジング蓋部は、例えば複数のハウジングにそれぞれ取り付けられると共に各ハウジングの電線保持部材装着部に装着された電線保持部材をそれぞれ押える構造からなるものでも良い。
【００１１】
なお、ハウジング蓋部と複数のハウジングとは、例えばハウジング蓋部のハウジングへの取付時に、その取付状態を保持する蓋係合部により互いに係合される構造からなり、この場合蓋係合部としては、例えば（Ｉ）ハウジング蓋部の端部に形成されハウジングへの取付方向に延びると共に取付穴部を有するハウジング蓋部用係合片と、ハウジングの端部に形成され取付穴部に係合するハウジング蓋部用係合突起とから構成されるものや、（II）ハウジング蓋部の端部に形成されハウジングへの取付方向に延びる係合突起部を有するハウジング蓋部用嵌合片と、ハウジングの端部に形成され内部に係合突起部が係合する突起係合部を有するハウジング蓋部用嵌合穴とから構成されるものなどが良い。
【発明の効果】
【００１２】
本発明によれば、圧接ジョイントコネクタが、電線を両側から挟持し電線が臨む開口部を有する複数の電線保持部材と、各電線保持部材が開口部を向けて装着される電線保持部材装着部と、互いに嵌合可能な嵌合部とをそれぞれ有する複数のハウジングと、各ハウジングに備えられ電線保持部材が開口部を電線保持部材装着部に向けて装着された際に電線と圧接される圧接端子と、複数のハウジングの嵌合時に互いに接続可能な接続端子とをそれぞれ有する複数の分岐接続部とから構成される。このため、複数の分岐接続部と電線との接続に際し別途接続端子を必要とせず、また、複数の電線保持部材にそれぞれ電線を挟み込んで複数のハウジングの電線保持部材装着部に装着しハウジング同士を嵌合するだけで複数の分岐接続部と電線との接続及び分岐接続部同士の接続を図ることができる。これにより、電線に接続端子を接続する接続作業や接続端子をハウジング内へ収容する収容作業が不要となり、更にはハウジング同士を接続する接続作業で分岐回路数を増加させることができるため、コストを抑えて安価にジョイントコネクタを製造することが可能となる。
【発明を実施するための最良の形態】
【００１３】
以下、添付の図面を参照して、本発明の好ましい実施の形態を説明する。
【００１４】
図１は、本発明の一実施形態に係る圧接ジョイントコネクタを示す分解斜視図、図２は、この圧接ジョイントコネクタの電線保持部材を示す分解斜視図、図３は、この圧接ジョイントコネクタを示す接続前の一部断面図、図４及び図５は、この圧接ジョイントコネクタを示す接続後の一部断面図である。
【００１５】
圧接ジョイントコネクタ１は、図１に示すように、例えば複数の電線８０を固定保持する複数の電線保持部材としての電線ホルダ１０と、これら複数の電線ホルダ１０がそれぞれ装着される電線保持部材装着部としてのホルダ装着部２１，３１を有し互いに嵌合可能な構造からなる複数のハウジングとしての第１ハウジング２０及び第２ハウジング３０と、これら第１及び第２ハウジング２０，３０にそれぞれ備えられ複数の電線８０を分岐接続するための複数の分岐接続部としての第１バスバー４０及び第２バスバー５０とを有して構成されている。なお、電線ホルダ１０や第１及び第２ハウジング２０，３０は、例えば樹脂成型部材からなり、第１及び第２バスバー４０，５０は、金属板を打ち抜き／折り曲げ加工などしてなるものである。
【００１６】
複数の電線ホルダ１０は、図１及び図２に示すように、例えばそれぞれ第１及び第２ハウジング２０，３０のホルダ装着部２１，３１への装着方向と直交する面と平行に複数の電線８０を保持する板状の電線保持部１１を備えて構成されている。この例の電線保持部１１は、例えば電線８０を介して対向配置され電線８０をその芯線方向と直交する方向に挟み込んで挟持固定する複数の電線保持部材構成体を備えており、矩形枠状の第１電線保持部材構成体としての枠部１２及び矩形板状の第２電線保持部材構成体としてのプレート部１３と、これら枠部１２及びプレート部１３の一方の端部同士を結合するヒンジ部１４と、枠部１２及びプレート部１３の他方の端部同士を係合して固定する電線保持部材構成体係合部としての係合部１５とを一体的に形成して構成された構造からなる。
【００１７】
なお、この係合部１５は、例えば枠部１２のヒンジ部１４側と反対側の端部に形成された係合凹部１６と、プレート部１３のヒンジ部１４側と反対側の端部に形成された、係合凹部１６と係合する係合凸部１８を有する係合片部１７とから構成されている。そして、各電線ホルダ１０の電線保持部１１の枠部１２には、電線ホルダ１０のホルダ装着部２１，３１への装着時に、各ホルダ装着部２１，３１上で後述するバスバー４０，５０の圧接端子部４３，５３のスリット４４，５４に電線８０を挿入して圧接可能にするための装着側開口部１２ａが形成され、プレート部１３には、圧接端子部４３，５３と電線８０との圧接時に、圧接端子部４３，５３がプレート部１３に当接しないようにするための逃げ凹み部１３ａが形成されている。
【００１８】
また、この電線ホルダ１０の電線保持部１１の枠部１２及びプレート部１３のそれぞれの対向端部には、例えば複数の電線８０の被覆８２の外周径に合わせて形成された、各電線８０の芯線８１の方向に延びると共に複数配列形成された固定溝部１１ａがそれぞれ備えられている。ここで、各電線ホルダ１０に固定保持される複数の電線８０は、この例ではそれぞれ絶縁性の被覆８２に芯線８１が覆われた構造からなり、可撓性を備えるものである。
【００１９】
この圧接ジョイントコネクタ１の複数の電線ホルダ１０と第１及び第２ハウジング２０，３０とは、例えば各ホルダ装着部２１，３１における電線ホルダ１０の装着時に、その装着状態を保持する電線保持部材係合部としてのホルダ係合部６０によりそれぞれ互いに係合される構造からなる。この例のホルダ係合部６０は、例えば各電線ホルダ１０の枠部１２の端部に形成された各ホルダ装着部２１，３１への装着方向に延びると共に係合穴部６１を有する電線保持部材係合部用係合片としてのホルダ係合片６２と、第１及び第２ハウジング２０，３０のそれぞれの端部に形成された係合穴部６１に係合する電線保持部材係合部用係合突起としてのホルダ係合突起６３とから構成されている。
【００２０】
一方、第１及び第２ハウジング２０，３０は、例えばインサートモールド成形などにより、第１ハウジング２０には第１バスバー４０を、及び第２ハウジング３０には第２バスバー５０をそれぞれ一体的に備えた構造からなり、上記複数の電線ホルダ１０が装着される棚状のホルダ装着部２１，３１をそれぞれ備えて構成されている。また、第１ハウジング２０には、いわゆるレセプタクル型嵌合部２２が形成され、第２ハウジング３０には、このレセプタクル型嵌合部２２と嵌合するいわゆるプラグ型嵌合部３２が形成されており、これら第１及び第２ハウジングは、互いに嵌合可能な構造を備えている。
【００２１】
また、これら第１及び第２ハウジング２０，３０の端部のうち、例えば第１ハウジング２０の端部には、上述したホルダ係合突起６３の他に、例えばレセプタクル型嵌合部２２の端部において後述する第１及び第２ハウジング２０，３０を嵌合した後に取り付けられるハウジング蓋部７０を係合するための蓋係合部７５の一部を構成するハウジング蓋部用係合突起としての蓋係合突起７８が形成されている。
【００２２】
第１及び第２バスバー４０，５０は、複数の分岐端子部４１，５１の一方の端部側に、上述した電線８０が挿入されるスリット４４，５４を有し且つ各電線ホルダ１０のホルダ装着部２１，３１への非装着時に、各ホルダ装着部２１，３１においてスリット４４，５４が電線ホルダ１０の装着方向と平行となる状態で露出された圧接端子部４３，５３を備えると共に、他方の端部側に、第１及び第２ハウジング２０，３０の嵌合時に互いに接続可能な構造からなる接続端子部４５，５５を備え、各分岐端子部４１，５１が連結部４２，５２により連結された構造からなる。そして、上述したように、例えばインサートモールド成形により各ハウジング２０，３０に一体的に備えられている。
【００２３】
なお、第１バスバー４０の接続端子部４５は、第１ハウジング２０のレセプタクル型嵌合部２２内において露出した板状のいわゆるプラグ型端子構造を備え、第２バスバー５０の接続端子部５５は、プラグ型嵌合部３２に収容された筒状のいわゆるレセプタクル型端子構造を備えている。そして、第２バスバー５０の接続端子部５５内には、第１バスバー４０の接続端子部４５と接触する接触片５６が形成されている。
【００２４】
このように構成された圧接ジョイントコネクタ１では、複数の電線８０を各電線ホルダ１０でそれぞれ固定保持し、各電線８０の端末部が対向する状態で各電線ホルダ１０を第１及び第２ハウジング２０，３０のホルダ装着部２１，３１にそれぞれ装着するだけで、図３に示すように、各ホルダ装着部２１，３１においてそれぞれ第１及び第２バスバー４０，５０の圧接端子部４３，５３のスリット４４，５４に電線８０を挿入してその被覆８２を破り、芯線８１と圧接端子部４３，５３とを接続して各電線８０の分岐接続を行うことができる。更に、各電線ホルダ１０を装着した第１及び第２ハウジング２０，３０を、レセプタクル型嵌合部２２とプラグ型嵌合部３２とを嵌合することで嵌合状態にすれば、図４に示すように、第１バスバー４０と第２バスバー５０とを接続端子部４５，５５同士を接続して電気的に接続することができる。このように、この圧接ジョイントコネクタ１は、従来のジョイントコネクタのように、電線８０と各バスバー４０，５０とを接続するに際して接続端子が別途不要になり、また、接続端子の電線８０への接続作業も不要となるため、部品点数を少なくして組立作業等を容易化しコストを抑えて安価に製造することができる。
【００２５】
なお、図３〜図５に示す圧接ジョイントコネクタ１は、第１及び第２ハウジング２０，３０同士を嵌合した場合に、両ハウジング２０，３０に取り付けられると共に両ハウジング２０，３０のホルダ装着部２１，３１に装着された各電線ホルダ１０を押えるハウジング蓋部７０が取り付けられる、又は取り付けられた状態を示している。この例のハウジング蓋部７０は、例えば両ハウジング２０，３０への取付時に、各電線ホルダ１０の電線保持部１１から外部に露出して延びる複数の電線８０を、第１及び第２バスバー４０，５０の圧接端子部４３，５３との圧接部分に対していわゆるストレインリリーフを備えるように両ハウジング２０，３０の端部と共に挟み込んで所定の角度（ここでは約９０°）で折り曲げる電線押え部としての蓋周縁片部７９を有している。
【００２６】
従って、このハウジング蓋部７０を取り付けることで、圧接端子部４３，５３と電線８０との圧接部分に対するストレインリリーフ構造と保護構造とを実現することができる。なお、図示は省略するが、このハウジング蓋部７０は、第１及び第２ハウジング２０，３０にそれぞれ取り付けられ各ハウジング２０，３０のホルダ装着部２１，３１に装着された各電線ホルダ１０を押える複数構造（複数の部材）からなるものでも良い。
【００２７】
ここで、このハウジング蓋部７０と両ハウジング２０，３０とは、例えばハウジング蓋部７０の両ハウジング２０，３０への取付時に、その取付状態を保持する蓋係合部７５により互いに係合される構造からなる。この蓋係合部７５は、図３に示すように、この例ではハウジング蓋部７０の端部に形成された両ハウジング２０，３０への取付方向に延びると共に取付穴部７６を有するハウジング蓋部用係合片としての蓋係合片７７と、例えば第１ハウジング２０のレセプタクル型嵌合部２２の端部に形成された、取付穴部７６に係合する上記蓋係合突起７８とから構成されている。
【００２８】
このように、ハウジング蓋部７０が取り付けられた圧接ジョイントコネクタ１では、複数の電線８０を複数の電線ホルダ１０の電線保持部１１で固定保持し、これら複数の電線ホルダ１０を各ハウジング２０，３０のホルダ装着部２１，３１に装着し、更に両ハウジング２０，３０を嵌合して第１及び第２バスバー４０，５０同士を接続し、ハウジング蓋部７０を各電線ホルダ１０を押えるように両ハウジング２０，３０に取り付けるだけで、各ホルダ装着部２１，３１においてスリット４４，５４が露出された各バスバー４０，５０の圧接端子部４３，５３に電線８０を挿入し、スリット４４，５４で電線８０の被覆８２を破って芯線８１と圧接端子部４３，５３とを接続すると共に両バスバー４０，５０同士を接続することができる。これにより、複数のバスバー４０，５０と電線８０との接続、及びバスバー４０，５０同士の接続を容易に行って分岐接続の容易化を図ることができると共に各圧接端子部４３，５３と電線８０との圧接部分に対するストレインリリーフ構造を具備することができる。
【００２９】
また、この圧接ジョイントコネクタ１では、従来のジョイントコネクタのように別途接続端子を必要としないため部品点数を少なくすることができると共に、各電線８０に接続端子を接続する必要がなく、また、両ハウジング２０，３０に接続端子を収容する必要もないため、これらの作業が不要となり、更に、圧接端子部４３，５３と電線８０との圧接部分に対するストレインリリーフ構造と保護構造とをハウジング蓋部７０を取り付けることで一括して具備することができる。これにより、ストレインリリーフのための別部品や保護のための別部品が不要でハウジング蓋部７０のみで良くなるため、結果的にコストを抑えることが可能で安価にジョイントコネクタを製造することができるようになる。
【００３０】
なお、この例の圧接ジョイントコネクタ１の複数の電線ホルダ１０と第１及び第２ハウジング２０，３０とは、上記構造のホルダ係合部２５の他に、例えば図６に示すような構造のホルダ係合部６０で互いに係合されても良い。即ち、この場合のホルダ係合部６０は、例えば各電線ホルダ１０の枠部１２の端部に形成され装着方向に延びると共に係合突起部８３を有する電線保持部材係合部用嵌合片としてのホルダ嵌合片８４と、両ハウジング２０，３０のハウジング装着部２１，３１の端部に形成された係合突起部８３が係合する突起係合部８５を有する電線保持部材係合部用嵌合穴としてのホルダ嵌合穴８６とから構成されていると良い。このように構成されたホルダ係合部６０でも各電線ホルダ１０と各ハウジング２０，３０との装着状態を保持することができるからである。
【００３１】
また、この例の圧接ジョイントコネクタ１の各電線ホルダ１０の電線保持部１１を構成する枠部１２及びプレート部１３は、ヒンジ部１４で一体的に連結された構造からなるものであるが、この構造以外に、図７及び図８に示すように、例えば互いに分割可能な構造からなるものでも良い。この場合、電線保持部１１の係合部１５は、例えば図７に示すように、枠部１２及びプレート部１３のうちの一方（ここではプレート部１３）の端部に対角状に形成された係合凹部１６と、他方（ここでは枠部１２）の端部に係合凹部１６と対応する対角状に形成された係合片部１７とから構成されていても良い。また、例えば図８に示すように、枠部１２及びプレート部１３のそれぞれの端部に対角状に形成された係合凹部１６及び係合片部１７から構成されていても良い。このように構成された係合部１５でも枠部１２及びプレート部１３を確実に一体的に係合して電線保持部１１を構成することができるからである。
【００３２】
更に、ハウジング蓋部７０を両ハウジング２０，３０に取り付けるための蓋係合部７５としては、例えば図９に示すように、ハウジング蓋部７０の第１ハウジング２０のレセプタクル型嵌合部２２の端部と対向する端部に形成された、両ハウジング２０，３０への取付方向に延びると共に係合突起部７１を有するハウジング蓋部用嵌合片としての蓋嵌合片７２と、第１ハウジング２０のレセプタクル型嵌合部２２の端部に穿設され内部に係合突起部７１が係合する突起係合部７３が形成されたハウジング蓋部用嵌合穴としての蓋嵌合穴７４とから構成されていても良い。このような構造の蓋係合部７５でもハウジング蓋部７０と両ハウジング２０，３０との取付状態を保持することができるからである。
【００３３】
図１０は、本発明の他の実施形態に係る圧接ジョイントコネクタを示す分解斜視図、図１１は、この圧接ジョイントコネクタを示す接続前の一部断面図、図１２は、この圧接ジョイントコネクタを示す接続後の一部断面図である。なお、以降において、既に説明した部分と重複する説明は割愛し、言及しない部分については既述のものが適用可能であるとする。
この圧接ジョイントコネクタ１Ａでは、各ハウジング２０Ａ，３０Ａにおいてそれぞれ各電線８０の端末部が同一方向を向く状態で各電線ホルダ１０を装着側開口部１２ａをホルダ装着部２１，３１側に向けて両ハウジング２０Ａ，３０Ａのホルダ装着部２１，３１に並列に装着する点と、ホルダ係合部６０がホルダ嵌合片８４及びホルダ嵌合穴８６と、例えば電線ホルダ１０のプレート部１３の端部に形成された凸状の嵌合凸部８７及び両ハウジング２０Ａ，３０Ａのレセプタクル型嵌合部２２及びプラグ型嵌合部３２の側端部に穿設された嵌合凸部８７が嵌る形状の嵌合凹部８８とから構成されている点と、第１及び第２バスバー４０，５０の形状が異なる点とが、先の例の圧接ジョイントコネクタ１と相違している。この圧接ジョイントコネクタ１Ａでも、上記圧接ジョイントコネクタ１と同様の効果を有する。なお、図１１及び図１２に示すように、ハウジング蓋部７０を両ハウジング２０Ａ，３０Ａに取り付ければ、上記圧接ジョイントコネクタ１にハウジング蓋部７０を取り付けた場合と同様に、電線８０と圧接端子部４３，５３との圧接部分に対してストレインリリーフや保護などを図ることが可能である。
【００３４】
図１３は、本発明の更に他の実施形態に係る圧接ジョイントコネクタを示す接続前の一部断面図、図１４及び図１５は、この圧接ジョイントコネクタを示す接続後の一部断面図である。
この圧接ジョイントコネクタ１Ｂでは、各電線ホルダ１０の装着側開口部１２ａがそれぞれホルダ装着部２１，３１に向けて装着される際に、各ハウジング２０Ｂ，３０Ｂに対して対向方向となる状態で各電線ホルダ１０が第１及び第２ハウジング２０Ｂ，３０Ｂのホルダ装着部２１，３１に装着される点と、第１及び第２バスバー４０，５０の形状が異なる点と、ハウジング蓋部７０が複数あり、これらハウジング蓋部７０の形状が異なると共に両ハウジング２０Ｂ，３０Ｂへの取付時に、各電線ホルダ１０の電線保持部１１から外部に露出して延びる各電線８０を、ハウジング蓋部７０及び蓋周縁片部７９と各電線ホルダ１０の端部とで挟み込んで所定の角度（ここでは約９０°を２回で約１８０°）で折り曲げている点とが、先の例の圧接ジョイントコネクタ１，１Ａと相違している。この圧接ジョイントコネクタ１Ｂでも、上記圧接ジョイントコネクタ１，１Ａと同様の効果を有する。
【産業上の利用可能性】
【００３５】
本発明は、分岐接続を含む電気的接続を行う各種の用途に利用できる。
【図面の簡単な説明】
【００３６】
【図１】本発明の一実施形態に係る圧接ジョイントコネクタを示す分解斜視図である。
【図２】同圧接ジョイントコネクタの電線保持部材を示す分解斜視図である。
【図３】同圧接ジョイントコネクタを示す接続前の一部断面図である。
【図４】同圧接ジョイントコネクタを示す接続後の一部断面図である。
【図５】同圧接ジョイントコネクタを示す接続後の一部断面図である。
【図６】同圧接ジョイントコネクタの他の電線保持部材係合部を示す一部断面図である。
【図７】同圧接ジョイントコネクタの他の電線保持部材を示す展開斜視図である。
【図８】同圧接ジョイントコネクタの他の電線保持部材を示す展開斜視図である。
【図９】同圧接ジョイントコネクタの他の蓋係合部を示す一部断面図である。
【図１０】本発明の他の実施形態に係る圧接ジョイントコネクタを示す分解斜視図である。
【図１１】同圧接ジョイントコネクタを示す接続前の一部断面図である。
【図１２】同圧接ジョイントコネクタを示す接続後の一部断面図である。
【図１３】本発明の更に他の実施形態に係る圧接ジョイントコネクタを示す接続前の一部断面図である。
【図１４】同圧接ジョイントコネクタを示す接続後の一部断面図である。
【図１５】同圧接ジョイントコネクタを示す接続後の一部断面図である。
【符号の説明】
【００３７】
１，１Ａ，１Ｂ…圧接ジョイントコネクタ、１０…電線ホルダ、１１…電線保持部、１１ａ…固定溝部、１２…枠部、１２ａ…装着側開口部、１３…プレート部、１３ａ…逃げ凹み部、１４…ヒンジ部、１５…係合部、１６…係合凹部、１７…係合片部、１８…係合凸部、２０，２０Ａ，２０Ｂ…第１ハウジング、２１，３１…ホルダ装着部、２２…レセプタクル型嵌合部、３０，３０Ａ，３０Ｂ…第２ハウジング、３２…プラグ型嵌合部、４０…第１バスバー、４１，５１…分岐端子部、４２，５２…連結部、４３，５３…圧接端子部、４４，５４…スリット、４５，５５…接続端子部、５０…第２バスバー、６０…ホルダ係合部、６１…係合穴部、６２…ホルダ係合片、６３…ホルダ係合突起、７０…ハウジング蓋部、７１，８３…係合突起部、７２…蓋嵌合片、７３，８５…突起係合部、７４…蓋嵌合穴、７５…蓋係合部、７６…取付穴部、７７…蓋係合片、７８…蓋係合突起、７９…蓋周縁片部、８０…電線、８１…芯線、８２…被覆、８４…ホルダ嵌合片、８６…ホルダ嵌合穴、８７…嵌合凸部、８８…嵌合凹部。
【図１】
2005149935.tif 000003
【図２】
2005149935.tif 000004
【図３】
2005149935.tif 000005
【図４】
2005149935.tif 000006
【図５】
2005149935.tif 000007
【図６】
2005149935.tif 000008
【図７】
2005149935.tif 000009
【図８】
2005149935.tif 000010
【図９】
2005149935.tif 000011
【図１０】
2005149935.tif 000012
【図１１】
2005149935.tif 000013
【図１２】
2005149935.tif 000014
【図１３】
2005149935.tif 000015
【図１４】
2005149935.tif 000016
【図１５】
2005149935.tif 000017